(57)【要約】【課題】防犯が可能であるとともに、サンシェードと同等の遮光も可能なシャッターを提供する。【解決手段】シャッター本体２とシャッター本体を巻き取り又は繰り出す駆動部５を有し、シャッター本体は、それぞれが数ミリ径の複数本の金属製ロープを一組にして構成された支持部材４により、多数本の数ミリ径の金属製線材３を、長手方向が幅方向になるような配置で、金属製線材の長手方向の複数個所において、４乃至６ミリメートルピッチで上下多段に支持することで構成されており、前記駆動部５は、化粧ボックスと、化粧ボックス内に収容された、シャッター本体が吊り下げられた巻き取りドラムと、巻き取りドラムを回動するためのモーターを具備しており、シャッター本体を下まで下げることで、防犯を可能にするとともに、遮光を可能としてサンシェードとして機能させることも可能とした。【選択図】図１
0003216578.tif 000002
【実用新案登録請求の範囲】
【請求項１】
シャッター本体（２）と、シャッター本体（２）を巻き取り又は繰り出すための駆動部（５）を有し、
シャッター本体（２）は、
多数本の数ミリ径の金属製線材（３）を、金属製ロープにより構成される支持部材（４）によって、長手方向が左右方向になる配置で、４乃至６ミリピッチで上下多段に支持することで構成されており、
前記駆動部（５）は、
化粧ボックス（６）と、
化粧ボックス（６）内に収容された、シャッター本体（２）が吊り下げられた巻き取りドラム（７）と、
巻き取りドラム（７）を回動するためのモーター（８）と、を具備したことを特徴とするシャッター。
【請求項２】
前記支持部材（４）は、それぞれが数ミリ径の金属製ロープを複数本用いることで構成されていることを特徴とする請求項１に記載のシャッター。
【請求項３】
前記支持部材（４）は金属製線材（３）の長手方向の幅方向の複数個所において、金属製線材（３）を支持していることを特徴とする請求項１又は請求項２に記載のシャッター。
【請求項４】
前記金属製線材（３）がステンレス製であることを特徴とする請求項１乃至請求項３のいずれかに記載のシャッター。
【請求項５】
前記支持部材（４）がステンレス製であることを特徴とする請求項１乃至請求項４のいずれかに記載のシャッター。
【考案の詳細な説明】
【技術分野】
【０００１】
本考案はシャッターに係り、より詳しくは、防犯のみならずサンシェードとしても使用可能なシャッターに関する。
【背景技術】
【０００２】
従来、建物の入り口や窓には防犯のためのシャッターが用いられており、このシャッターの中には、建物等の内部を見ることが可能なパイプ式のものが存在する。
【０００３】
そしてこのパイプ式のシャッターは一般的に、多数のパイプを、長手方向が左右方向になるような配置で、リンクによって上下多段に支持することで構成されるとともに、駆動機構によって上下動自在とされている。そのため、視線を妨げることが無いために、ショーウインドウの前やガレージの入り口に使用され、それにより、防犯とともに、ショールームやガレージをおしゃれにすることが可能である。
【先行技術文献】
【特許文献】
【０００４】
【特許文献１】特開２０１３−２５３３８６号公報
【特許文献２】特開２０１２−１５８８８９号公報
【特許文献３】特開２００８−０３１７６６号公報
【考案の概要】
【考案が解決しようとする課題】
【０００５】
ところで、ホテルのロビーやショールームの窓、店舗の入り口には、遮光のためにサンシェードを設置することが多いが、従来のサンシェードは固定式であるために、窓ガラスの掃除の際には邪魔になり、掃除の作業が大変である。
【０００６】
一方、従来のパイプ式シャッターは、一般的に、１０ミリメートル前後、標準タイプでは１３ミリメートル程度の径のパイプを７０ミリメートル程度のピッチで上下多段に配置しているため、ホテルのロビーやショールームの窓の前にこのパイプシャッターを設置した場合には、シャッターを下まで下した状態でもホテルのロビーやショールームの内部を見ることは可能だが、遮光の役割を果たすことは無い。そのために、ホテルのロビーやショールームの窓の前にパイプシャッターを設置した場合においては、ホテルのロビーやショールームの窓に、更にサンシェードを備える必要があり、それによりコストも上がってしまっていた。
【０００７】
そこで、本考案は、防犯が可能であるとともに、サンシェードと同等の遮光も可能なシャッターを提供することを課題としている。
【課題を解決するための手段】
【０００８】
本考案のシャッターは、
シャッター本体と、シャッター本体を巻き取り又は繰り出すための駆動部を有し、
シャッター本体は、
多数本の数ミリ径の金属製線材を、金属製ロープにより構成される支持部材によって、長手方向が左右方向になる配置で、４乃至６ミリピッチで上下多段に支持することで構成されており、
前記駆動部は、
化粧ボックスと、
化粧ボックス内に収容された、シャッター本体が吊り下げられた巻き取りドラムと、
巻き取りドラムを回動するためのモーターと、を具備したことを特徴としている。
【考案の効果】
【０００９】
本考案のシャッターでは、シャッター本体と、このシャッター本体を巻き取り又は繰り出すための駆動部を有しており、シャッター本体は、長手方向が左右方向になる配置とされた多数本の金属製線材と、この金属製線材を上下多段に支持した支持部材で構成している。そのために、シャッター本体を下まで下げることで、金属製線材により防犯の効果を得ることが可能である。
【００１０】
また、本考案のシャッターでは、シャッター本体を構成する金属製線材を金属製ロープにより構成される支持部材によって支持しているとともに、支持のピッチを４乃至６ミリの短いピッチとしている。そのために、シャッター本体を下まで下げた場合には、遮光が可能であり、従ってサンシェードとして機能させることが可能である。
【００１１】
更に、本考案のシャッターでは、シャッター本体を構成する金属製線材を数ミリ径の金属製線材にしているために、金属製線材間のピッチを４乃至６ミリメートルとしていることとも相まって、例えばライトアップしているショールームの窓の前に吊るした場合には、シャッター本体を下まで下げた場合でも、ショールームの内部をきれいに見ることが可能である。
【図面の簡単な説明】
【００１２】
【図１】本考案のシャッターの実施例の正面図である。
【図２】本考案のシャッターの実施例における金属製線材と金属製ロープの関係を説明するための図であり、図１におけるＡ−Ａ部分拡大図である。
【図３】図２に示した部分の底面図である。
【図４】本考案のシャッターの実施例における金属製線材と金属製ロープの関係を説明するための図であり、下方部分の側面を拡大して示した図である。
【図５】本考案のシャッターの実施例における駆動部を説明するための図である。
【考案を実施するための形態】
【００１３】
本考案のシャッターは、シャッター本体と、このシャッター本体を巻き取り又は繰り出すための駆動部を有している。
【００１４】
そして、シャッター本体は、多数本の数ミリ径の金属製線材を、金属製ロープにより構成される支持部材によって、長手方向が左右方向になる配置で、４乃至６ミリメートルピッチで上下多段に支持することで構成されており、金属製線材及び金属製ロープはいずれも、ステンレス製としている。
【００１５】
また、このシャッター本体を巻き取り又は繰り出すための駆動部は、シャッター本体の上方に配置された化粧ボックスと、化粧ボックス内に収容され、シャッター本体が吊り下げられた巻き取りドラムと、この巻き取りドラムを回動するためのモーターを具備している。そして、モーターを駆動して巻き取りドラムを回動することで、巻き取りドラムに吊り下げられたシャッター本体を、巻き取り又は繰り出すことを可能にしている。
【００１６】
ここで、金属製線材を支持している支持部材は、それぞれが数ミリ径の金属製ロープを複数本用いて、それぞれの金属製ロープを金属製線材に巻きつけることで、金属製線材を支持するとよく、これにより、金属製線材を確実に支持することが可能となる。
【００１７】
また、金属製ロープは、シャッター本体の幅方向の複数個所において、金属製線材を支持するとよく、これにより、金属製線材を安定した状態で支持することが可能となる。
【実施例１】
【００１８】
本考案のシャッターの実施例について図面を参照して説明すると、図１は、本実施例のシャッターの正面図であり、図において１が本実施例のシャッターである。
【００１９】
そして、本実施例のシャッター１は、シャッター本体と、このシャッター本体を巻き取り又は繰り出すための駆動部を有しており、シャッター本体を下げることで、建物等の入り口を閉鎖し、またはショーウインドウの窓を閉鎖することとしている。
【００２０】
即ち、図１において２がシャッター本体であり、本実施例においてこのシャッター本体２は、金属製ロープで構成された支持部材により、多数本の極細径の金属製線材を、長手方向が左右方向になる配置で上下多段に支持して構成されている。
【００２１】
ここで、前記金属製線材について説明すると、図において３が金属製線材であり、本実施例においてこの金属製線材３は、ステンレス製であり、数ミリ、より詳しくは３ミリ径の所定長さの線材としている。なお長さは特に限定されず、シャッターを設置する窓等の間口寸法に応じて設定される。
【００２２】
次に、図において４が、前記金属製線材３を支持している支持部材である。そして、本実施例において支持部材４は、４本のステンレス製の金属製ロープを一組として用いて、各金属製ロープを前記金属製線材３に波状に絡ませることで金属製線材３を支持している。
【００２３】
この関係を図２乃至図４を用いて説明すると、図２乃至図３は、金属製ロープ４によって金属製線材３を支持している箇所の一部を拡大して示した図であり、図２は、正面から見た図であり、具体的には図１におけるＡ−Ａ部分を拡大して示した図である。また、図３は図２に示した部分を底面から見た図であり、及び図４はシャッターの下方部分を右側面から見た図である。
【００２４】
そして、本実施例においては、支持部材４は、図２に示されるように、約２ミリ径の４本の金属製ロープ４ａ、４ｂ、４ｃ、４ｄを用いており、この４本の金属製ロープ４ａ、４ｂ、４ｃ、４ｄを一組として、隣り合う配置で、それぞれを金属製線材３に巻き付けながら、前記金属製線材３を支持している。また、支持部材４は、約６ミリのピッチで金属製線材３を上下多段に支持している。即ち、図２、４からも明らかなように、４本の金属製ロープ４ａ、４ｂ、４ｃ、４ｄは、隣り合う金属製ロープと逆方向に波打たせながら、約６ミリのピッチで上下多段に配置した金属製線材３に巻き付けており、これにより、金属製線材３を確実に支持している。
【００２５】
また、前記金属製ロープ４は、図１に示すように、前記金属製線材３の長手方向、即ちシャッター本体２の左右方向の複数個所において、金属製線材３を支持しており、本実施例において前記金属製ロープ４は、図１においては５箇所において金属製線材３を、約５０ミリピッチで支持しており、これにより、金属製線材３を安定させて支持している。
【００２６】
次に、前記駆動部について説明すると、図１において５が駆動部であり、図５は、駆動部５の内部を示した図である。そして、図５において、本実施例において前記駆動部５は、化粧ボックス６を有しており、この化粧ボックス６の内部には、巻き取りドラム７が、回動自在に収容されている。
【００２７】
ここで、巻き取りドラム７について説明すると、本実施例において前記巻き取りドラム７には、前述したシャッター本体２が吊り下げられている。即ち、本実施例において前記化粧ボックス６は、下面に、シャッター本体２が通過するための開口１０が形成されており、この開口１０を介して、前記巻き取りドラム７にはシャッター本体２が吊り下げられている。
【００２８】
そして、前記巻き取りドラム７の一端側の内部にはモーター８が内蔵されており、このモーター８を駆動することで、前記巻き取りドラム７を回動可能としている。即ち、本実施例においては、前記モーター８として、チューブラモーターを用いており、このチューブラモーター８を前記巻き取りドラム７の一端側の内部に収容するとともに、チューブラモーター８の出力軸を巻き取りドラム７の内周面に連結している。そしてそれにより、チューブラモーター８を駆動することで、前記巻き取りドラム７を回動可能としている。
【００２９】
そのために、本実施例では、前記チューブラモーター８を駆動することで、巻き取りドラム７を回動させ、それに伴って、巻き取りドラム７に吊り下げているシャッター本体２を巻き取り、あるいは繰り出すこととしている。
【００３０】
なお、図示は省略するが、本実施例において、前記チューブラモーター８には電源が接続されており、また、前記チューブラモーター８の駆動を行うための有線又は無線のリモコン等の操作手段を有している。また、図１乃至図４において９は、シャッター本体２の下端に備えた設置ベースである。
【００３１】
次に、このように構成される本実施例のシャッター１の作用について説明すると、本実施例のシャッター１は、ビル、店舗等の建物の入り口のドアの外側や、ホテルのロビーやショーウインドウの窓の前に設置される。
【００３２】
そして、モーター８を駆動してシャッター本体２を下まで下げることで、金属製線材３の存在によって不審者等の建物内等への侵入を阻止して、防犯に役立てることができる。
【００３３】
また、本実施例のシャッターでは、シャッター本体を構成する金属製線材３を約６ミリのピッチで、金属製ロープにより構成される支持部材４によって支持しているために、即ち、金属製線材３の間隔が約６ミリであるために、従来のパイプシャッターと異なり、シャッター本体２の部分によって遮光を行うことが可能である。従って、シャッター本体２を下げる高さを調整することで、建物等の内部への日差しの入光をコントルールすることができ、サンシェードとして機能させることもできる。従って、サンシェードを別途備える必要が無くなる。
【００３４】
そしてこのとき、本実施例のシャッター１では、シャッター本体２を上昇させて建物の入り口や窓を開放することができるので、ドアガラスや窓ガラスの掃除の際にシャッター本体を上げることで、掃除の邪魔になることを防止でき、掃除の作業が大変になることを防止することができる。
【００３５】
更に、本実施例のシャッターでは、シャッター本体２を構成する金属製線材３を数ミリ径の金属製線材にするとともに、この金属製線材３間のピッチを前述したように約６ミリにしているために、建物等の内部の光を、金属製線材３間の隙間から外部に放射させることができる。そのために、シャッター本体２を下まで下げた場合でも、ホテルのロビー内の光やライトアップしているショールーム内の光を外部から見ることができ、それにより、ホテルのロビーやショールームの外部からの見た目をきれいにすることが可能である。
【００３６】
このように、本実施例のシャッターは、数ミリ径の多数本の金属製線材を、約６ミリメートルのピッチで上下多段に支持しているために、防犯用に用いることができるとともに、サンシェードとして用いることも可能である。
【産業上の利用可能性】
【００３７】
本考案のシャッターは、サンシェードとして機能させることも可能なシャッターであるために、シャッターの全般に適用可能である。
【符号の説明】
【００３８】
１    シャッター
２    シャッター本体
３    金属製線材
４    金属製ロープ
５    駆動部
６    化粧ボックス
７    巻き取りドラム
８    モーター
９    設置ベース
１０    化粧ボックス下面の開口
【図１】
0003216578.tif 000003
【図２】
0003216578.tif 000004
【図３】
0003216578.tif 000005
【図４】
0003216578.tif 000006
【図５】
0003216578.tif 000007